(57)【要約】【課題】表示が見えづらかったり、エレベーターの位置を正確に把握できない等のサービス低下を発生させることなく、かつ、自由度をもって、エレベーターのＬＥＤ表示器を減光点灯させ、省エネを図ることができるエレベーターを提供する。【解決手段】エレベーター制御装置１に接続された入力装置５、かご端末２に接続された入力装置６、並びにホール端末３，４と接続された入力装置７，８から、エレベーターのＬＥＤ表示器９〜１１に対する減光点灯指令を入力する。入力装置５〜８のいずれかから、減光点灯指令が入力されたことを検出して、ＬＥＤ表示器９〜１１をデューティ制御等により減光点灯させ、前記入力装置によって指定された減光点灯時間の経過後に、ＬＥＤ表示器９〜１１を通常点灯状態へ復帰させる。【選択図】図１
2013006639.tif 000002
【特許請求の範囲】
【請求項１】
エレベーターホール及び／又はかご内に設置されたＬＥＤ表示器に、運転情報及び／又は一般情報を点灯表示する表示器を備えたエレベーターシステムにおいて、前記ＬＥＤ表示器の点灯に対して人為的に減光点灯を指令するための入力装置と、前記入力装置から前記減光点灯指令が入力されたことに応じて、前記ＬＥＤ表示器を減光点灯させるＬＥＤ表示器駆動回路を備えたことを特徴とするエレベーターシステム。
【請求項２】
請求項１において、前記ＬＥＤ表示器駆動回路は、前記ＬＥＤ表示器を減光点灯中に、所定の条件で前記ＬＥＤ表示器を通常の点灯に復帰させることを特徴とするエレベーターシステム。
【請求項３】
請求項２において、前記所定の条件は、前記減光点灯が予定の時間経過したことであることを特徴とするエレベーターシステム。
【請求項４】
エレベーターホール及び／又はかご内に設置されたＬＥＤ表示器に、運転情報及び／又は一般情報を点灯表示する表示器を備えたエレベーターシステムにおいて、前記ＬＥＤ表示器の点灯に対して人為的に減光点灯およびその継続時間とを指令するための入力装置と、前記入力装置から前記減光点灯指令が入力されたことに応じて、前記ＬＥＤ表示器を減光点灯させるとともに、前記減光点灯の継続時間の満了に応じて前記ＬＥＤ表示器を通常の点灯に復帰させるＬＥＤ表示器駆動回路を備えたことを特徴とするエレベーターシステム。
【請求項５】
請求項１〜４のいずれかにおいて、前記入力装置は、人為的に前記減光点灯の中止指令を入力する減光点灯の中止指令入力手段を備え、前記ＬＥＤ表示器駆動回路は、前記減光点灯の中止指令に応じて、前記ＬＥＤ表示器を通常の点灯に復帰させることを特徴とするエレベーターシステム。
【請求項６】
請求項１〜５のいずれかにおいて、前記ＬＥＤ表示器駆動回路は、ＬＥＤ表示器に流すＯＮ／ＯＦＦ電流周期に対するＯＮ電流時間幅を変更するデューティ制御によって、前記ＬＥＤ表示器を減光点灯させることを特徴とするエレベーターシステム。
【請求項７】
請求項１〜５のいずれかにおいて、前記ＬＥＤ表示器駆動回路は、ＬＥＤ表示器に流す電流値を減少させる電流値制御によって、前記ＬＥＤ表示器を減光点灯させることを特徴とするエレベーターシステム。
【請求項８】
請求項１〜５のいずれかにおいて、前記ＬＥＤ表示器駆動回路は、ＬＥＤ表示器に流すＯＮ／ＯＦＦ電流周期に対するＯＮ電流時間幅を変更するデューティ制御と、ＬＥＤ表示器に流す電流値を減少させる電流値制御との組合せによって前記ＬＥＤ表示器を減光点灯させることを特徴とするエレベーターシステム。
【請求項９】
請求項１〜８のいずれかにおいて、前記ＬＥＤ表示器駆動回路は、前記ＬＥＤ表示器の前記減光点灯中に、前記ＬＥＤ表示器を間欠的に通常状態で点灯させることを特徴とするエレベーターシステム。
【請求項１０】
エレベーターホール及び／又はかご内に設置されたＬＥＤ表示器に、運転情報及び／又は一般情報を点灯表示する表示器を備えたエレベーターの節電方法において、前記ＬＥＤ表示器の点灯に対する人為的な減光点灯およびその継続時間に関する指令を入力する指令入力ステップと、前記指令入力ステップにより前記減光点灯指令が入力されたことに応じて、前記ＬＥＤ表示器を減光点灯させる減光点灯ステップと、前記減光点灯の継続時間の満了に応じて前記ＬＥＤ表示器を通常の点灯に復帰させる通常点灯復帰ステップを備えたことを特徴とするエレベーターの節電方法。
【発明の詳細な説明】
【技術分野】
【０００１】
本発明は、ホールまたはエレベーターかご内に設置するＬＥＤ表示器を備えたエレベーターシステムおよびエレベーターの節電方法に関する。
【背景技術】
【０００２】
従来技術として、特許文献１には、エレベーター交通需要の閑散時に、表示器の点灯モードを全点灯から間引き点灯あるいは電力消費の少ない発光色へ切替えて、省エネを図ることが記載されている。
【先行技術文献】
【特許文献】
【０００３】
【特許文献１】特開２００６−３６３８２号公報
【発明の概要】
【発明が解決しようとする課題】
【０００４】
特許文献１に開示された従来技術では、交通需要の閑散時にエレベーターを利用する場合、表示器の表示内容が間引き点灯していると、表示が見えづらく、エレベーターの位置を正確に把握できない等のサービス低下が発生する。また、エレベーター管理者等が任意で表示器の表示内容を減光させることができない問題があった。
【０００５】
本発明の目的は、エレベーター管理者等が任意に実行でき、利用者へのサービス低下を抑制しつつ、省エネを図ることができるエレベーターシステムまたはエレベーターの節電方法を提供することである。
【課題を解決するための手段】
【０００６】
このような目的を達成するために、本発明の望ましい実施態様においては、エレベーターホール及び／又はかご内に設置されたＬＥＤ表示器に、運転情報及び／又は一般情報を点灯表示する表示器を備えたエレベーターにおいて、前記ＬＥＤ表示器の点灯に対して人為的操作による減光点灯指令を受付け、前記減光点灯指令が入力されたことに応じて、前記ＬＥＤ表示器を減光点灯させることを特徴とする。
【０００７】
また、本発明の望ましい実施態様においては、前記ＬＥＤ表示器を減光点灯中に、所定の条件で前記ＬＥＤ表示器を通常の点灯に復帰させる。
【０００８】
本発明の具体的な実施態様においては、前記所定の条件とは、前記減光点灯が予定の継続時間を経過したこと、人為的に指令された減光点灯の継続時間を満了したこと、あるいは、人為的に減光点灯の中止が指令されたことのいずれか、あるいはそれらを組合せに基づき、前記ＬＥＤ表示器を通常の点灯に復帰させる手法を採用することができる。
【０００９】
本発明における前記ＬＥＤ表示器の減光制御は、ＬＥＤ表示器に流すＯＮ／ＯＦＦ電流周期に対するＯＮ電流時間幅を変更するデューティ制御、ＬＥＤ表示器に流す電流値を減少させる電流値制御、もしくは、これら２つの制御の組合せを採用することが望ましい。
【発明の効果】
【００１０】
本発明の望ましい実施態様によれば、利用者へのサービス低下を抑制しつつ、省エネを図ることができる。
【００１１】
本発明のその他の目的と特徴は、以下に述べる実施形態の中で明らかにする。
【図面の簡単な説明】
【００１２】
【図１】本発明の一実施例によるエレベーターシステムの全体概略構成図。
【図２】本発明の一実施例による入力装置の外観図。
【図３】本発明の他の実施例による入力装置の外観図。
【図４】本発明の一実施例によるエレベーターシステムの処理フロー図。
【図５】本発明によるＬＥＤ表示器の減光点灯の第１の実施形態として、デューティ方式を採用した場合の電流波形図。
【図６】本発明によるＬＥＤ表示器の減光点灯の第２の実施形態として、ＬＥＤ表示器に流す電流値の可変制御を採用した場合の電流波形図。
【図７】本発明によるＬＥＤ表示器の減光点灯の第３の実施形態として、図５のデューティ方式と、図６の電流値可変制御の組合せを採用した場合の電流波形図。
【図８】本発明によるＬＥＤ表示器の減光点灯の第４の実施形態として、減光点灯中に、ＬＥＤ表示器を間欠的に通常状態で点灯させる制御を採用した場合の電流波形図。
【発明を実施するための形態】
【００１３】
以下、本発明の実施の形態を図１〜図４を参照して説明する。
【００１４】
図１は、本発明の一実施例によるエレベーターシステムの全体概略構成図である。図１において、エレベーター制御装置１は、ＣＰＵ１２，通信回路部１３，入力回路部１４，メモリ１５を備え、通信線１６を介してホール端末３，４と接続され、通信線１７を介してかご端末２と接続される。ホール端末３，４は、それぞれＣＰＵ３１，４１、通信回路部３２，４２、ＬＥＤ表示器駆動回路部３３，４３、入力回路部３４，４４を備えている。また、かご端末２は、ＣＰＵ２１，通信回路部２２，ＬＥＤ表示器駆動回路部２３を備えている。さらに、かごＬＥＤ表示器９は、ＬＥＤ表示器駆動回路部２３と接続され、ホールＬＥＤ表示器１０，１１は、それぞれＬＥＤ表示器駆動回路部３３，３４と接続される。さらにまた、入力装置５〜８は、それぞれ入力回路部１４，２４，３４，４４を介してＣＰＵ１２，２１，３１，４１へ入力される。
【００１５】
エレベーターホールに設置されたＬＥＤ表示器１０，１１及び／又はかご内に設置されたＬＥＤ表示器９には、運転情報及び／又は一般情報を点灯表示する。
【００１６】
この実施例においては、入力装置５〜８のうちいずれからも、同様の減光点灯指令を入力できるものとし、この減光点灯指令が与えられると、かごＬＥＤ表示器９およびホールＬＥＤ表示器１０，１１が、一斉に減光点灯されるものとする。
【００１７】
すなわち、この実施例においては、ＬＥＤ表示器９〜１１の点灯に対して人為的に減光点灯を指令するための入力装置５〜８と、前記入力装置から減光点灯指令が入力されたことに応じて、前記ＬＥＤ表示器を減光点灯させるＬＥＤ表示器駆動回路２３，３３，４３を備えている。
【００１８】
入力装置５〜８からの減光点灯指令に応じて、ＬＥＤ表示器９〜１１を減光点灯した場合、所定の条件で前記ＬＥＤ表示器を通常の点灯に復帰させることが必要である。実施形態のひとつとして、所定時間の経過に応じて、通常の点灯状態に復帰させることが望ましい。一方、以下に述べるように、減光点灯の継続時間をも、人為的操作によって指定することも有効である。
【００１９】
図２は、本発明の一実施例による入力装置の外観図である。この例では、図１に示した入力装置５〜８をキースイッチ２０１〜２０４にて構成した場合であり、各キースイッチ２０１〜２０４のそれぞれに、減光点灯の継続時間を割当てている。すなわち、各入力装置５〜８は、それぞれ４つのキースイッチ２０１〜２０４を備え、そのスイッチ選択により、２時間，４時間，６時間，または８時間の減光継続時間を指令することができる。
【００２０】
これによって、ＬＥＤ表示器は、指定された時間だけ減光点灯され、指定時間の経過によって、自動的に通常の点灯に復帰する。
【００２１】
図３は、本発明の他の実施例による入力装置の外観図である。この例では、入力装置５〜８をキースイッチ３０１，３０２にて構成した場合であり、各スイッチ３０１，３０２のＯＮ／ＯＦＦの組合せによって、減光点灯の継続時間を指定できる。すなわち、図３の下方に示すように、キースイッチ３０１，３０２のＯＮ，ＯＦＦの組合せによって減光点灯の継続時間を指定することにより、キースイッチ数を低減することができる。
【００２２】
以上の実施例においては、ＬＥＤ表示器９〜１１の点灯に対して人為的に減光点灯およびその継続時間とを指令するための入力装置５〜８と、前記入力装置から前記減光点灯指令が入力されたことに応じて、前記ＬＥＤ表示器を減光点灯させるとともに、前記減光点灯の継続時間の満了に応じて前記ＬＥＤ表示器を通常の点灯に復帰させるＬＥＤ表示器駆動回路２３，３３，４３を備えている。
【００２３】
図４は、本発明の一実施例によるエレベーター制御装置の処理フロー図である。この処理フローに沿って本実施例の処理手順を説明する。
【００２４】
まず、初期状態として、エレベーター制御装置１のメモリ１５にカウンタ値（以下、countと称す）を格納しておく。countをクリアするため、ステップＳ１０１でcountを０とする。ステップＳ１０２は通常状態であり、エレベーター制御装置１のＣＰＵ１２から、各端末のＣＰＵ２１，３１，４１に対し、通常の点灯指令を送信し、ステップＳ１０３でキースイッチがＯＮしているかどうかを確認する。
【００２５】
ここで、エレベーター制御装置１に設けられた入力装置５のキースイッチ信号は、エレベーター制御装置１の入力回路部１４を介してＣＰＵ１２に取り込まれる。また、かご端末２と接続された入力装置６のキースイッチ信号は、かご端末２のＣＰＵ２１にて一旦取り込まれる。さらに、ホール端末３，４に接続された入力装置７，８のキースイッチ信号は、ホール端末３，４のＣＰＵ３１，４１にてそれぞれ一旦取り込まれる。これらのキースイッチ信号、すなわち減光点灯指令は、すべて、エレベーター制御装置１のＣＰＵ１２へ送信され、統一した減光点灯指令と認識される。
【００２６】
一方、各端末のＣＰＵ２１，３１，および４１は、エレベーター制御装置１のＣＰＵ１２からの通常の点灯指令を受信すると、それぞれ、ＬＥＤ表示器９，１０，１１に対して、ＬＥＤ表示器駆動回路部２３，３３，４３により、通常の点灯制御を行う。ステップＳ１０３で、ＣＰＵ１２が、いずれかのキースイッチがＯＮされたことを検出すると、ステップＳ１０４で、各キースイッチに対応した時間を所定値としてセットする。例えば、図２の入力装置における減光２時間継続用キースイッチ２０１がＯＮすると、所定値を２時間にセットする。次に、ステップＳ１０５で、現時点でのcountに１を加算し、ステップＳ１０６では、ステップＳ１０４でセットしておいた所定値と比較する。ここで、countが所定値より小さい場合、ＣＰＵ１２から、ＣＰＵ２１，３１，４１に対し、減光点灯指令を送信する。一方、ＣＰＵ２１，３１，４１は、ＣＰＵ１２からの減光点灯指令を受信すると、それぞれＬＥＤ表示器９，１０，１１を、ＬＥＤ表示器駆動回路部２３，３３，４３により減光させる。
【００２７】
ステップＳ１０６で、countが所定値に達すると、減光点灯状態が指定された時間を経過した訳であるため、ステップＳ１０９に移って、ＣＰＵ１２からＣＰＵ２１，３１，４１に対し、通常の点灯指令を送信し、ＬＥＤ表示器９〜１１の点灯状態を通常の点灯に復帰させる。
【００２８】
また、ステップＳ１１０では、キースイッチがＯＦＦされたか否かを確認する。すなわち、入力装置５〜８は、減光点灯を指示したキースイッチを人為的にＯＦＦすることによって、減光点灯の中止指令を入力することもできる。このように、減光点灯の中止指令入力手段を備え、ＬＥＤ表示器駆動回路２３，３３，４３は、減光点灯の中止指令に応じて、ＬＥＤ表示器を通常の点灯に復帰させることができる。
【００２９】
一方、ＣＰＵ２１，３１，４１は、ＣＰＵ１２からの通常の点灯指令を受信すると、それぞれＬＥＤ表示器９，１０，１１をＬＥＤ表示器駆動回路部２３，３３，４３により通常状態に戻す。
【００３０】
ステップＳ１１０でキースイッチがＯＦＦされたことを検出すると、ステップＳ１０１に戻る。また、ステップＳ１０８は、ＬＥＤ表示器を減光状態から通常状態に戻すためのものであり、一旦、減光となった状態から、必要に応じた任意のタイミングでキースイッチをＯＦＦに戻すことによって、通常点灯状態に復帰させることが可能である。
【００３１】
次に、ＬＥＤ表示器を減光させる具体的な手段について図５〜図８にて説明する。
【００３２】
図５は、本発明によるＬＥＤ表示器の減光点灯の第１の実施形態として、デューティ方式を採用した場合の電流波形図である。図示の例では、ＯＮ／ＯＦＦの周期を一定としており、減光させる場合は、ＬＥＤ表示器に流すＯＮ電流時間幅ｔを短くする。例えば、ＬＥＤ表示器に流すＯＮ／ＯＦＦ電流周期１４ｍｓに対し、通常のＯＮ電流時間幅tが２ｍｓである場合に、このＯＮ電流時間幅tを０．２〜０．７５ｍｓに短く変更すれば、減光が可能であり、省エネを図ることができる。
【００３３】
また、図５のＯＦＦ電流は、ゼロ電流でも１／１０程度の微小電流（ペデスタル電流）でもよい。ＯＦＦ電流として微小電流（ペデスタル電流）を流すことで、ＬＥＤ表示器の長寿命化や、ＬＥＤ表示器の誤点灯防止等の、耐ノイズ性の向上を図ることができる。
【００３４】
図６は、本発明によるＬＥＤ表示器の減光点灯の第２の実施形態として、ＬＥＤ表示器に流す電流値の可変制御を採用した場合の電流波形図である。ＬＥＤ表示器の点灯方式を常時点灯、例えば、図示するように、常時１００％のＯＮ電流を流しておき、減光点灯させたい場合には、ＬＥＤ表示器への供給電圧を下げる、あるいはＬＥＤ表示器電流を制限する抵抗値を増加させること等によって、例えば、ＬＥＤ表示器に流す電流値を３０〜６０％に減少させ、減光点灯を実現することができる。この図６の実施形態によれば、図５の実施形態に比べ、ＬＥＤ表示器の長寿命化を図ることができる。
【００３５】
図７は、本発明によるＬＥＤ表示器の減光点灯の第３の実施形態として、ＬＥＤ表示器の点灯方式を、図５で説明したデューティ方式と、図６で説明した電流値可変制御の組合せを採用した場合の電流波形図である。図から明らかなように、任意の組合せでも、減光点灯が可能であり、減光点灯の状況やＬＥＤの寿命等を考慮して、適宜に、組合せることができる。
【００３６】
図８は、本発明によるＬＥＤ表示器の減光点灯の第４の実施形態として、減光点灯中に、所定の周期でＬＥＤ表示器を短時間づつ通常状態で点灯させる制御を採用した場合の電流波形図である。
【００３７】
図８では、減光点灯中の１分間の周期中に、ＬＥＤ表示器を１０秒間づつ、通常状態で点灯させる制御の例を示している。例えば、時刻データまたは乗り場の照度データを入力して、所定の時間帯（夜間など）または所定の照度以下と判定した場合に、所定の周期で通常点灯と減光点灯を繰り返す制御をＣＰＵで実行する。
【００３８】
乗り場が暗い環境下では、ＬＥＤ表示器の減光状態が続くと、エレベーターの利用者がＬＥＤ表示器の点灯を認識できない可能性がある。このような場合に、本制御方法を実行することによって、容易にＬＥＤ表示器の点灯を認識してエレベーターを利用できる効果がある。
【００３９】
以上の本発明の実施例によれば、特許文献１のように、交通需要が閑散であることを検出して減光し、省エネを図るだけのものに比べて、次のような効果もある。例えば、天候などにより、閑散でなくても減光したいことがあり、一方、利用者数は少ない状況にあっても、サービス低下になることを避けたい事情があるときには、減光点灯を止めたいこともある。本発明の実施例によれば、このように自由度が欲しい場合に、臨機応変に省エネ点灯を実行することができる。
【００４０】
以上の説明においては、減光点灯の実行指令を入力する入力装置としてキースイッチを採用したが、例えば、タイマ機能を備えた装置（ＩＣ、リレー等）や監視盤等の遠隔装置からの指令に基づいて、減光点灯の実行指令を入力してもよい。
【００４１】
以上の本発明の実施例によれば、入力装置の操作状態によりＬＥＤ表示器を減光させ、前記入力装置が操作された後、所定時間経過後に通常の点灯状態へ復帰させることによって、利用者へのサービス低下を抑制しつつ、省エネを図ることができる。
【符号の説明】
【００４２】
１…エレベーター制御装置、２…かご端末、３，４…ホール端末、１２，２１，３１，４１…ＣＰＵ、１３，２２，３２，４２…通信回路部、１４，２４，３４，４４…入力回路部、１５…メモリ、２３，３３，４３…ＬＥＤ表示器駆動回路部、５〜８…入力装置、９…かごＬＥＤ表示器、１０，１１…ホールＬＥＤ表示器、１６，１７…通信線、２０１…減光点灯２時間継続用キースイッチ、２０２…減光点灯４時間継続用キースイッチ、２０３…減光点灯６時間継続用キースイッチ、２０４…減光点灯８時間継続用キースイッチ。
【図１】
2013006639.tif 000003
【図２】
2013006639.tif 000004
【図３】
2013006639.tif 000005
【図４】
2013006639.tif 000006
【図５】
2013006639.tif 000007
【図６】
2013006639.tif 000008
【図７】
2013006639.tif 000009
【図８】
2013006639.tif 000010